(57)【要約】【課題】リレーの誤装着を確実に防止する。【解決手段】第１リレー１は、リレーボックス３の第１開口１２から挿入された第１リレー端子５が第１接続位置へ到達して第１ボックス端子９に嵌合接続することにより、第１リレー装着部１７に装着される。第２リレー２は、リレーボックス３の第２開口１８から挿入された第２リレー端子７が第２接続位置へ到達して第２ボックス端子１０に嵌合接続することにより、第２リレー装着部２２に装着される。第２開口１８から挿入された第１リレー端子５が第２接続位置へ到達できないように、第１リレー端子５の突出長さは、第２リレー端子７の突出長さよりも短く形成され、第２開口１８から第２接続位置までの第２所定距離は、第１開口１２から第１接続位置までの第１所定距離よりも長く設定されている。【選択図】図１
2019047659.tif 000002
【特許請求の範囲】
【請求項１】
２以上の所定数の第１リレー端子が第１リレーハウジングから突出する第１リレーと、前記所定数の第２リレー端子が前記第１リレー端子と同じ端子配列で第２リレーハウジングから突出する第２リレーと、第１リレー装着部と第２リレー装着部とが設けられたリレーボックスと、を備えたリレー取付構造であって、
前記第１リレー装着部は、
ボックスハウジングのリレー取付面に設けられた前記所定数の第１開口と、
前記第１開口の各々から前記ボックスハウジングの内部へ延びる第１端子挿入部と、
前記第１開口から第１所定距離の第１接続位置で前記ボックスハウジングに保持される前記所定数の第１ボックス端子と、を備え、
前記第２リレー装着部は、
前記リレー取付面に設けられた前記所定数の第２開口と、
前記第２開口の各々から前記ボックスハウジングの内部へ延びる第２端子挿入部と、
前記第２開口から第２所定距離の第２接続位置で前記ボックスハウジングに保持される前記所定数の第２ボックス端子と、を備え、
前記第１リレーは、前記第１開口の各々から前記第１端子挿入部に挿入された前記第１リレー端子が前記第１接続位置へ到達して前記第１ボックス端子に嵌合接続することにより、前記第１リレー装着部に装着され、
前記第２リレーは、前記第２開口の各々から前記第２端子挿入部に挿入された前記第２リレー端子が前記第２接続位置へ到達して前記第２ボックス端子に嵌合接続することにより、前記第２リレー装着部に装着され、
前記第２開口から前記第２端子挿入部に挿入された前記第１リレー端子が前記第２接続位置へ到達できないように、前記第１リレーハウジングからの前記第１リレー端子の突出長さは、前記第２リレーハウジングからの前記第２リレー端子の突出長さよりも短く形成され、前記第２所定距離は、前記第１所定距離よりも長く設定されている
ことを特徴とするリレー取付構造。
【発明の詳細な説明】
【技術分野】
【０００１】
本発明は、リレーボックスにリレーを取付けるリレー取付構造に関する。
【背景技術】
【０００２】
特許文献１には、リレーボックスの２箇所の端子挿入部に２つの雌端子をそれぞれ挿入し、リレーボックスの上面よりリレーを搭載し、リレーの２つの雄端子をリレーボックスの２箇所の端子孔に差し込み挿入して、リレーの雄端子をリレーボックスの雌端子にそれぞれ嵌合接続する構造が記載されている。
【先行技術文献】
【特許文献】
【０００３】
【特許文献１】特開２００３−１２５５１６号公報
【発明の概要】
【発明が解決しようとする課題】
【０００４】
リレーボックスに第１リレー装着部と第２リレー装着部とが設けられ、小容量の第１リレーと大容量の第２リレーとが組付けの互換性を有する場合、作業者は、第１リレーを正規の第１リレー装着部ではなく第２リレー装着部に誤装着し、第２リレーを正規の第２リレー装着部ではなく第１リレー装着部に誤装着する可能性がある。特に、第１リレーの外観と第２リレーの外観とが似ている場合、誤装着が生じ易く、このような誤装着が看過され、大電流の流れる回路に小容量の第１リレーが接続されて通電されると、リレー接点が故障（ショート等）してしまうおそれがある。
【０００５】
そこで、本発明は、リレーの誤装着を確実に防止することが可能なリレー取付構造の提供を目的とする。
【課題を解決するための手段】
【０００６】
上記目的を達成すべく、本発明に係るリレー取付構造は、２以上の所定数の第１リレー端子が第１リレーハウジングから突出する第１リレーと、上記所定数の第２リレー端子が第１リレー端子と同じ端子配列で第２リレーハウジングから突出する第２リレーと、第１リレー装着部と第２リレー装着部とが設けられたリレーボックスと、を備える。
【０００７】
第１リレー装着部は、ボックスハウジングのリレー取付面に設けられた上記所定数の第１開口と、第１開口の各々からボックスハウジングの内部へ延びる第１端子挿入部と、第１開口から第１所定距離の第１接続位置でボックスハウジングに保持される上記所定数の第１ボックス端子と、を備える。第２リレー装着部は、リレー取付面に設けられた上記所定数の第２開口と、第２開口の各々からボックスハウジングの内部へ延びる第２端子挿入部と、第２開口から第２所定距離の第２接続位置でボックスハウジングに保持される上記所定数の第２ボックス端子と、を備える。
【０００８】
第１リレーは、第１開口の各々から第１端子挿入部に挿入された第１リレー端子が第１接続位置へ到達して第１ボックス端子に嵌合接続することにより、第１リレー装着部に装着される。第２リレーは、第２開口の各々から第２端子挿入部に挿入された第２リレー端子が第２接続位置へ到達して第２ボックス端子に嵌合接続することにより、第２リレー装着部に装着される。
【０００９】
第２開口から第２端子挿入部に挿入された第１リレー端子が第２接続位置へ到達できないように、第１リレーハウジングからの第１リレー端子の突出長さは、第２リレーハウジングからの第２リレー端子の突出長さよりも短く形成され、第２所定距離は、第１所定距離よりも長く設定されている。
【００１０】
上記構成では、作業者が第１リレーを正規の第１リレー装着部ではなく第２リレー装着部に誤装着しようとしても、第２開口から第２端子挿入部に挿入された第１リレー端子は第２接続位置へ到達できず、第１リレー端子を第２ボックス端子に嵌合接続させることができない。このように、第２リレー装着部への第１リレーの装着が実質的に不可能であるので、作業者は第１リレーの誤装着に容易に気付くことができ、誤装着を確実に防止することができる。
【００１１】
一方、作業者が第２リレーを正規の第２リレー装着部ではなく第１リレー装着部に誤装着した場合、第１開口から第１端子挿入部に挿入された第２リレー端子は第１接続位置へ到達して第１ボックス端子に嵌合接続するが、このとき第２リレーは、第２リレー装着部に装着した場合よりもリレー取付面から離間した状態となるので、作業者は第２リレーの誤装着に容易に気付くことができ、誤装着を確実に防止することができる。
【００１２】
従って、リレーの誤装着が看過され、大電流の流れる回路に小容量のリレーが接続されて通電されることに起因するリレー接点の故障（ショート等）を未然に防止することができる。
【発明の効果】
【００１３】
本発明によれば、リレーの誤装着を確実に防止することができる。
【図面の簡単な説明】
【００１４】
【図１】本発明の一実施形態に係る第１リレー及び第２リレーをリレーボックスに装着する前の状態を模式的に示す側面図である。
【図２】（ａ）は第１リレーの下面図、（ｂ）は第２リレーの下面図、（ｃ）はリレーボックスの上面図である。
【図３】リレー装着状態の要部側面図である。
【図４】リレー誤装着状態の要部側面図である。
【発明を実施するための形態】
【００１５】
以下、本発明の一実施形態に係るリレー取付構造について、図面を参照して説明する。なお、以下では、リレー取付面が上方を向く姿勢で設置されたリレーボックスのリレー取付面に第１リレー及び第２リレーを上方から装着する場合（図１に図示した状態）の上下を、上下方向として説明する。
【００１６】
図１〜図３に示すように、リレー取付構造は、第１リレー１と第２リレー２とリレーボックス３とを備える。リレーボックス３は、車両に搭載されて固定される。
【００１７】
第１リレー１は、樹脂製の第１リレーハウジング４と、２以上の所定数（本実施形態では４つ）の第１オス端子（第１リレー端子）５とを備える。４つの第１オス端子５は、第１リレーハウジング４の下面から下方へ突出している。
【００１８】
第２リレー２は、樹脂製の第２リレーハウジング６と、第１オス端子５と同数（４つ）の第２オス端子（第２リレー端子）７とを備える。４つの第２オス端子７は、第１リレー１の４つの第１オス端子５と同じ端子配列で、第２リレーハウジング６の下面から下方へ突出している。第１オス端子５と第２オス端子７とが同数で同じ端子配列であるため、第１リレー１と第２リレー２とは組付けの互換性を有する。
【００１９】
第１リレー１と第２リレー２を比較すると、第１リレー１の方が第２リレー２よりも小容量（第２リレー２の方が第１リレー１よりも大容量）である。また、後述するように、第２リレーハウジング６からの第２オス端子７の突出長さは、第１リレーハウジング４からの第１オス端子５の突出長さよりも長い（第１リレーハウジング４からの第１オス端子５の突出長さは、第２リレーハウジング６からの第２オス端子７の突出長さよりも短い）。
【００２０】
リレーボックス３は、樹脂製のボックスハウジング８と、第１オス端子５と同数（４つ）の第１メス端子（第１ボックス端子）９と、第２オス端子７と同数（４つ）の第２メス端子（第２ボックス端子）１０とを備える。本実施形態の第２メス端子１０は、第１メス端子９と同形状であり、第１メス端子９及び第２メス端子１０の各々には、電線１１がカシメ接続されている。
【００２１】
ボックスハウジング８には、第１リレー１の４つの第１オス端子５に対応して、第１開口１２と第１オス端子挿入部（第１端子挿入部）１３と第１メス端子収容部１４と第１メス端子係止片１５とが、それぞれ４つずつ形成されている。４つの第１開口１２は、ボックスハウジング８の上面（リレー取付面１６）に、第１オス端子５の端子配列に対応して形成されている。第１オス端子挿入部１３は、第１開口１２の各々から下方（ボックスハウジング８の内部）へ延びる。第１メス端子収容部１４は、ボックスハウジング８の下面側で開口し、上方へ延びて第１オス端子挿入部１３と連通する。第１メス端子係止片１５は、各第１メス端子収容部１４に設けられている。第１メス端子９は、ボックスハウジング８の下方から第１メス端子収容部１４に挿入され、第１メス端子係止片１５に係止されて、第１開口１２から第１所定距離の第１接続位置でボックスハウジング８に保持される。第１開口１２と第１オス端子挿入部１３と第１メス端子９とは、第１リレー装着部１７を構成する。
【００２２】
また、ボックスハウジング８には、第２リレー２の４つの第２オス端子７に対応して、第２開口１８と第２オス端子挿入部（第２端子挿入部）１９と第２メス端子収容部２０と第２メス端子係止片２１とが、それぞれ４つずつ形成されている。４つの第２開口１８は、ボックスハウジング８のリレー取付面１６に、第２オス端子７の端子配列に対応して形成されている。第２オス端子挿入部１９は、第２開口１８の各々から下方（ボックスハウジング８の内部）へ延びる。第２メス端子収容部２０は、ボックスハウジング８の下面側で開口し、上方へ延びて第２オス端子挿入部１９と連通する。第２メス端子係止片２１は、各第２メス端子収容部２０に設けられている。第２メス端子１０は、ボックスハウジング８の下方から第２メス端子収容部２０に挿入され、第２メス端子係止片２１に係止されて、第２開口１８から第２所定距離の第２接続位置でボックスハウジング８に保持される。第２所定距離は第１所定距離よりも長く、第２オス端子挿入部１９の上下長さは第１オス端子挿入部１３の上下長さよりも長い。第２開口１８と第２オス端子挿入部１９と第２メス端子１０とは、第２リレー装着部２２を構成する。
【００２３】
各第１オス端子５を対応する第１開口１２から第１オス端子挿入部１３に挿入し、第１リレーハウジング４の下面がリレー取付面１６に当接するまで押し込むと、第１オス端子５が第１接続位置へ到達し、第１オス端子５の下部が第１メス端子９に嵌合接続して、第１リレー１が正規の第１リレー装着部１７に装着される。
【００２４】
同様に、各第２オス端子７を対応する第２開口１８から第２オス端子挿入部１９に挿入し、第２リレーハウジング６の下面がリレー取付面１６に当接するまで押し込むと、第２オス端子７が第２接続位置へ到達し、第２オス端子７の下部が第２メス端子１０に嵌合接続して、第２リレー２が正規の第２リレー装着部２２に装着される。
【００２５】
本実施形態では、図４に示すように、第２開口１８から第２オス端子挿入部１９に挿入された第１オス端子５が第２接続位置へ到達できないように、第１リレーハウジング４の下面からの第１オス端子５の突出長さは、第２リレーハウジング６の下面からの第２オス端子７の突出長さよりも短く形成され、第２開口１８（リレー取付面１６）から第２接続位置までの第２所定距離は、第１開口１２（リレー取付面１６）から第１接続位置までの第１所定距離よりも図３中の長さＬだけ長く設定されている。このため、第１オス端子５を第２開口１８から第２オス端子挿入部１９に挿入し、第１リレーハウジング４の下面がリレー取付面１６に当接するまで押し込んでも、第１オス端子５は第２接続位置へ到達できず、第１オス端子５は第２メス端子１０に接触しない。
【００２６】
従って、作業者が第１リレー１を正規の第１リレー装着部１７ではなく第２リレー装着部２２に誤装着しようとしても、第１オス端子５を第２メス端子１０に嵌合接続させることができない。このように、第２リレー装着部２２への第１リレー１の装着が実質的に不可能であるので、作業者は第１リレー１の誤装着に容易に気付くことができ、誤装着を確実に防止することができる。
【００２７】
また、作業者が第２リレー２を正規の第２リレー装着部２２ではなく第１リレー装着部１７に誤装着した場合、第１開口１２から第１オス端子挿入部１３に挿入された第２オス端子７は第１接続位置へ到達して第１メス端子９に嵌合接続するが、このとき第２リレー２は、リレー取付面１６に当接せずに離間した状態となるので、作業者は第２リレー２の誤装着に容易に気付くことができ、誤装着を確実に防止することができる。
【００２８】
従って、リレーの誤装着が看過され、大電流の流れる回路に小容量のリレーが接続されて（本実施形態では第２リレー装着部２２の第２メス端子１０に小容量の第１リレー１が接続されて）通電されることに起因するリレー接点の故障（ショート等）を、未然に防止することができる。
【００２９】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００３０】
例えば、第１リレー端子、第２リレー端子、第１ボックス端子、及び第２ボックス端子の端子形状は特に限定されない。また、端子の数も４つに限定されず、２以上の所定数であればよい。
【産業上の利用可能性】
【００３１】
本発明は、リレーボックスにリレーを取付ける構造として広く適用可能である。
【符号の説明】
【００３２】
１：第１リレー
２：第２リレー
３：リレーボックス
４：第１リレーハウジング
５：第１オス端子（第１リレー端子）
６：第２リレーハウジング
７：第２オス端子（第２リレー端子）
８：ボックスハウジング
９：第１メス端子（第１ボックス端子）
１０：第２メス端子（第２ボックス端子）
１１：電線
１２：第１開口
１３：第１オス端子挿入部（第１端子挿入部）
１４：第１メス端子収容部
１５：第１メス端子係止片
１６：リレー取付面
１７：第１リレー装着部
１８：第２開口
１９：第２オス端子挿入部（第２端子挿入部）
２０：第２メス端子収容部
２１：第２メス端子係止片
２２：第２リレー装着部
【図１】
2019047659.tif 000003
【図２】
2019047659.tif 000004
【図３】
2019047659.tif 000005
【図４】
2019047659.tif 000006